Podtech/llm-jp-corpus-v4-ja_patent huggingface dataset:
【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】  
【請求項１】
医用画像診断装置から得た被検者の医用断層画像データを読み込み手段と、この画像読み込み手段により読み込まれた医用断層画像データ内の異常陰影候補を検出する手段と、
前記読み込まれた医用断層画像を被検者の体軸方向に積み上げた積上げ画像を作成する手段と、
前記異常陰影候補検出手段により検出された異常陰影候補の位置を医用断層画像及び前記積上げ画像作成手段により作成された積上げ画像上にマークを表示する手段とを備えたことを特徴とする画像診断支援装置。
【手続補正２】
【補正対象書類名】明細書
【補正対象項目名】０００６
【補正方法】変更
【補正の内容】
【０００６】
上記目的は、医用画像診断装置から得た被検者の医用断層画像データを読み込み手段と、この画像読み込み手段により読み込まれた医用断層画像データ内の異常陰影候補を検出する手段と、前記読み込まれた医用断層画像を被検者の体軸方向に積み上げた積上げ画像を作成する手段と、前記異常陰影候補検出手段により検出された異常陰影候補の位置を医用断層画像及び前記積上げ画像作成手段により作成された積上げ画像上にマークを表示する手段とを備えたことによって達成される。
【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】  制御装置により作動が制御される遊技機において、
前記制御装置は、電波発信装置からの特定周波数の電波に共振する共振回路を備えたことを特徴とする遊技機。
【請求項２】  制御装置は、制御素子が搭載された基板と、その基板を被包する基板ボックスとを備え、前記共振回路を基板ボックス内に配置したことを特徴とする請求項１に記載の遊技機。
【請求項３】  基板ボックスは第１ボックス構成部材と第２ボックス構成部材とを備え、第１ボックス構成部材に第２ボックス構成部材を取り付けることにより形成される内部空間に前記基板を配置し、第１ボックス構成部材に第２ボックス構成部材に取り付けた状態で両構成部材間を封印する封印手段を設けたことを特徴とする請求項１又は２に記載の遊技機。
【請求項４】  共振回路を肉薄に形成して感知シールとして構成し、その感知シールを制御装置に貼付したことを特徴とする請求項１乃至３のいずれかに記載の遊技機。
【請求項５】  制御装置により作動が制御される遊技機において、
前記制御装置は、制御素子が搭載された基板と、その基板を被包する基板ボックスと、その基板ボックスを封印して基板ボックスが開放されると破損される封印手段とを備え、
前記基板ボックスの内面に、電波発信装置からの特定周波数の電波に共振する共振回路を備えた感知シールを貼付したことを特徴とする遊技機。
【請求項６】  前記基板ボックスを外部から内部視認可能となるように構成し、その基板ボックスの表面には前記制御装置に関わる情報を付した情報シールが貼付されており、前記感知シールはその情報シールに対応した基板ボックスの内面に貼付されていることを特徴とする請求項５に記載の遊技機。
【請求項７】  前記感知シールは、それに対応して貼付されている基板ボックスの情報シールと同じかそれよりも小さく形成され、情報シールを正面視した場合に情報シールの裏側に隠れるように貼付されていることを特徴とする請求項６に記載の遊技機。
【請求項８】  前記基板ボックスには情報シールを貼付する際のガイド部が形成されていることを特徴とする請求項６又は７に記載の遊技機。
【請求項９】  前記共振回路は、インダクタンス回路部とそれに接続されたコンデンサ回路部とから構成されていることを特徴とする請求項１乃至８のいずれかに記載の遊技機。
【請求項１０】  インダクタンス回路部を導電線をループ状に巻き回すことにより構成し、コンデンサ回路部をそのループ内に配置されかつ導電線の両端を接続されたチップ型コンデンサによって構成したことを特徴とする請求項９に記載の遊技機。
【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】  制御装置により作動が制御される遊技機において、
前記制御装置は、遊技制御プログラムを記憶した記憶素子等を搭載した基板を備え、
前記記憶素子には、読取装置により読取可能でありかつ遊技機の機種・型式に対応した識別コードを付したことを特徴とする遊技機。
【請求項２】  前記識別コードはシール表面に付されており、そのシールが記憶素子に貼付されていることを特徴とする請求項１に記載の遊技機。
【請求項３】  前記シールには遊技機の機種・型式が文字表記されていることを特徴とする請求項２に記載の遊技機。
【請求項４】  前記記憶素子の上面部に識別コードが付されていることを特徴とする請求項１乃至３のいずれかに記載の遊技機。
【請求項５】  記憶素子は、肉薄かつ略直方体形状に形成され、その幅広面が前記基板面に対して交差するように配置されていることを特徴とする請求項４に記載の遊技機。
【請求項６】  前記識別コードは二次元コードであることを特徴とする請求項１乃至５のいずれかに記載の遊技機。
【請求項７】  前記識別コードはバーコードであることを特徴とする請求項１乃至５のいずれかに記載の遊技機。
【請求項８】  制御装置は、記憶素子が搭載された基板と、その基板を被包するとともに外部より内部視認可能に構成された基板ボックスと、その基板ボックスを封印する封印手段を備えていることを特徴とする請求項１乃至７のいずれかに記載の遊技機。
【請求項９】  基板ボックスは第１ボックス構成部材と第２ボックス構成部材とを備え、第１ボックス構成部材に第２ボックス構成部材を取り付けることにより形成される内部空間に前記基板を配置し、第１ボックス構成部材に第２ボックス構成部材に取り付けた状態で両構成部材間が前記封印手段によって封印されていることを特徴とする請求項８に記載の遊技機。
【請求項１０】  制御装置により作動が制御される遊技機において、
前記制御装置は、遊技制御プログラムを記憶した記憶素子等を搭載した基板を備え、
前記記憶素子には、読取装置により読取可能であり、かつ遊技機の機種・型式に対応するとともにその機種・型式を示す文字情報以外の識別情報部が少なくとも設けられていることを特徴とする遊技機。
【手続補正書】
【提出日】平成18年10月18日(2006.10.18)
【手続補正１】
【補正対象書類名】明細書
【補正対象項目名】請求項４
【補正方法】変更
【補正の内容】
【請求項４】  請求項１から請求項３までのいずれか１項に記載のスロットマシンにおいて、
前記特定遊技実行手段は、前記特別遊技の実行回数と、前記特別遊技以外の遊技回数とにそれぞれ上限回数を設定し、前記特別遊技の実行回数又は前記特別遊技以外の遊技回数のいずれか一方が上限回数に到達したときは、前記特定遊技を終了するように制御する
ことを特徴とするスロットマシン。
【手続補正２】
【補正対象書類名】明細書
【補正対象項目名】請求項５
【補正方法】変更
【補正の内容】
【請求項５】  請求項１から請求項３までのいずれか１項に記載のスロットマシンにおいて、
前記特定遊技中に、前記特定遊技を終了するか否かの抽選を行い、その抽選に当選しない限り、前記特定遊技を継続する
ことを特徴とするスロットマシン。
【手続補正３】
【補正対象書類名】明細書
【補正対象項目名】００１７
【補正方法】変更
【補正の内容】
【００１７】
（請求項４）
請求項４の発明は、請求項１から請求項３までのいずれか１項に記載のスロットマシンにおいて、前記特定遊技実行手段は、前記特別遊技の実行回数と、前記特別遊技以外の遊技回数とにそれぞれ上限回数を設定し、前記特別遊技の実行回数又は前記特別遊技以外の遊技回数のいずれか一方が上限回数に到達したときは、前記特定遊技を終了するように制御することを特徴とする。
【手続補正４】
【補正対象書類名】明細書
【補正対象項目名】００１８
【補正方法】変更
【補正の内容】
【００１８】
請求項４の発明においては、特定遊技は、特別遊技の実行回数又は特別遊技以外の遊技回数のいずれか一方が上限回数に到達したときに、終了するように制御される。そして、例えば特別遊技の実行回数が上限回数に到達したことにより特定遊技が終了したときは、特定遊技中の特別遊技から通常遊技に移行する。また、例えば特別遊技以外の遊技回数が上限回数に到達したことにより特定遊技が終了したときは、役抽選手段により抽選される役に変化はないが、特定遊技中の演出から通常遊技の演出に変化する。
したがって、特定遊技の終了条件を、ＢＢ遊技に類似する終了条件に設定することができ、特定遊技が擬似的なＢＢ遊技であるかのような印象を遊技者に与えることができる。
【手続補正５】
【補正対象書類名】明細書
【補正対象項目名】００１９
【補正方法】変更
【補正の内容】
【００１９】
（請求項５）
請求項５の発明は、請求項１から請求項３までのいずれか１項に記載のスロットマシンにおいて、前記特定遊技中に、前記特定遊技を終了するか否かの抽選を行い、その抽選に当選しない限り、前記特定遊技を継続することを特徴とする。
【手続補正６】
【補正対象書類名】明細書
【補正対象項目名】００２０
【補正方法】変更
【補正の内容】
【００２０】
請求項５の発明においては、特定遊技は、継続するか否かの抽選に当選しない限り、継続され続ける。
【手続補正７】
【補正対象書類名】明細書
【補正対象項目名】０２７４
【補正方法】変更
【補正の内容】
【０２７４】
（請求項４）
請求項４の発明によれば、特定遊技の終了条件を、ＢＢ遊技に類似する終了条件に設定することができ、特定遊技が擬似的なＢＢ遊技であるかのような印象を遊技者に与えることができる。
【手続補正８】
【補正対象書類名】明細書
【補正対象項目名】０２７５
【補正方法】変更
【補正の内容】
【０２７５】
（請求項５）
請求項５の発明によれば、特定遊技の遊技回数を予め定めないようにすることができる。
【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】    【請求項１】経皮的に生体内腔に挿入されるカテーテルであって、内部を延長するルーメンを有する鞘部と、前記鞘部のルーメンに摺動自在に配置され、前記鞘部の先端部から突出可能である先端部を有する挿通部材と、前記挿通部材の先端部に配置され、目的組織に治療用組成物を注入するための注射針と、カテーテルの先端部に配置され、インピーダンスを測定するための電極対とを有することを特徴とするカテーテル。    【請求項２】前記電極対は、前記挿通部材の先端部に配置されることを特徴とする請求項１に記載のカテーテル。    【請求項３】前記電極対の少なくとも一方の電極は、前記挿通部材の長手方向に関し、前記注射針のベベル先端から１ｍｍ以上離れていることを特徴とする請求項２に記載のカテーテル。    【請求項４】前記電極対は、複数組存在し、前記挿通部材の長手方向に関し、各組が離間して位置することを特徴とする請求項２に記載のカテーテル。    【請求項５】複数組の前記電極対に含まれる電極の少なくとも１つは、前記挿通部材の長手方向に関し、前記注射針のベベル先端から１ｍｍ以上離れていることを特徴とする請求項４に記載のカテーテル。    【請求項６】前記電極対の一方の電極は、前記挿通部材の先端部に位置し、前記電極対の他方の電極は、前記鞘部の先端部に位置することを特徴とする請求項１に記載のカテーテル。    【請求項７】前記挿通部材の先端部に位置する前記電極は、前記挿通部材の長手方向に関し、前記注射針のベベル先端から１ｍｍ以上離れていることを特徴とする請求項６に記載のカテーテル。    【請求項８】前記電極対は、複数組存在し、前記挿通部材の先端部に位置する複数の電極は、前記挿通部材の長手方向に関し、それぞれ離間して位置することを特徴とする請求項６に記載のカテーテル。    【請求項９】前記挿通部材の先端部に位置する複数の前記電極の少なくとも１つは、前記挿通部材の長手方向に関し、前記注射針のベベル先端から１ｍｍ以上離れていることを特徴とする請求項８に記載のカテーテル。    【請求項１０】前記鞘部の先端部は、前記ルーメンに連通する貫通孔を有することを特徴とする請求項１〜９のいずれか１項に記載のカテーテル。    【請求項１１】前記貫通孔は、前記鞘部の長手方向に関し、前記鞘部の先端部の端面から１ｍｍ以上離れていることを特徴とする請求項１０に記載のカテーテル。    【請求項１２】前記目的組織は、心臓であることを特徴とする請求項１〜１１のいずれか１項に記載のカテーテル。    【請求項１３】内部を延長するルーメンを有する鞘部と、前記鞘部のルーメンに摺動自在に配置され、前記鞘部の先端部から突出可能である先端部を有する挿通部材と、前記挿通部材の先端部に配置され、目的組織に治療用組成物を注入するための注射針と有し、経皮的に生体内腔に挿入されるカテーテルと、カテーテルの先端部に配置され、インピーダンスを測定するための電極対と、前記電極対から延長する導電体が接続され、前記電極対により測定されるインピーダンス値に基づいて、前記注射針による穿刺を検出するための穿刺検出装置とを有することを特徴とするカテーテルシステム。    【請求項１４】前記電極対の一方の電極は、前記電極対の他方の電極より、���記カテーテルの基端側に位置することを特徴とする請求項１３に記載のカテーテルシステム。
【手続補正書】
【提出日】平成18年3月9日(2006.3.9)
【手続補正１】
【補正対象書類名】明細書
【補正対象項目名】特許請求の範囲
【補正方法】変更
【補正の内容】
【特許請求の範囲】
【請求項１】  経皮的に生体内腔に挿入されるカテーテルであって、
内部を延長するルーメンを有する鞘部と、
前記鞘部のルーメンに摺動自在に配置され、前記鞘部の先端部から突出可能である先端部を有する挿通部材と、
前記挿通部材の先端部に配置され、生体内の目的組織に治療用組成物を注入するための注射針と、
カテーテルの先端部に配置され、心臓の活動電位を測定するための電極と
を有することを特徴とするカテーテル。
【請求項２】  前記目的組織は、心臓組織であることを特徴とする請求項１に記載のカテーテル。
【請求項３】  前記治療用組成物は、核酸、タンパク質、あるいは細胞を含有することを特徴とする請求項１に記載のカテーテル。
【請求項４】  前記鞘部の先端部は、前記ルーメンに連通する貫通孔を有することを特徴とする請求項１に記載のカテーテル。
【請求項５】  前記貫通孔は、前記鞘部の長手方向に関し、前記鞘部の先端部の端面から１ｍｍ以上離れていることを特徴とする請求項４に記載のカテーテル。
【請求項６】  前記電極は、複数であることを特徴とする請求項１に記載のカテーテル。
【請求項７】  前記電極は、前記挿通部材の先端部および／または前記鞘部の先端部に配置されることを特徴とする請求項１に記載のカテーテル。
【請求項８】  前記挿通部材の先端部に配置される電極は、前記注射針のべベルに形成されていることを特徴とする請求項７に記載のカテーテル。
【請求項９】  前記挿通部材の先端部に配置される電極は、前記挿通部材の先端部の外周面に位置することを特徴とする請求項７に記載のカテーテル。
【請求項１０】  前記挿通部材の先端部に配置される電極は、複数であり、
前記挿通部材の長手方向に関し、離間して位置することを特徴とする請求項９に記載のカテーテル。
【請求項１１】  前記挿通部材の先端部に配置される電極は、前記挿通部材の長手方向に関し、前記注射針の先端から１ｍｍ以上離れていることを特徴とする請求項７に記載のカテーテル。
【請求項１２】  内部を延長するルーメンを有する鞘部と、前記鞘部のルーメンに摺動自在に配置され、前記鞘部の先端部から突出可能である先端部を有する挿通部材と、前記挿通部材の先端部に配置され、生体内の目的組織に治療用組成物を注入するための注射針とを有し、経皮的に生体内腔に挿入されるカテーテルと、
前記カテーテルの先端部に配置され、心臓の活動電位を測定するための第１電極と、
心臓の活動電位を測定するための第２電極と、
前記第１電極から延長する導電体と、前記第２電極から延長する導電体とが接続され、前記第１電極および前記第２電極によって測定される心臓の活動電位に基づいて、前記注射針による穿刺を検出するための穿刺検出装置と
を有することを特徴とするカテーテルシステム。
【請求項１３】  前記第２電極は、前記カテーテルの先端部に配置され、前記第１電極より前記カテーテルの基端側に位置していることを特徴とする請求項１２に記載のカテーテルシステム。
【請求項１４】  前記第２電極は、前記カテーテルから独立した別体として形成されることを特徴とする請求項１２に記載のカテーテルシステム。
【手続補正書】
【提出日】平成18年3月20日(2006.3.20)
【手続補正１】
【補正対象書類名】明細書
【補正対象項目名】００１３
【補正方法】変更
【補正の内容】
【００１３】
ここで、提示装置が、図柄を変動表示することを可能に構成されている場合には、提示手段は、例えば、請求項３記載のように、提示装置に図柄を変動表示させて大当たり抽選の結果を遊技者に提示する図柄提示手段を備えると良い。
このように提示手段が構成されていれば、大当たり抽選の結果を図柄の変動で演出して遊技者に提示できるため、遊技者を楽しませることができる。
【手続補正２】
【補正対象書類名】明細書
【補正対象項目名】００２７
【補正方法】変更
【補正の内容】
【００２７】
このように遊技機を構成すれば、大当たり抽選の結果が大当たり遊技の終了後の遊技を遊技者にとって有利にする種類の大当たりである確度が高いと提示した場合に、大当たり抽選の結果が提示されるまで、遊技者に期待感を与えることができる。
【手続補正３】
【補正対象書類名】明細書
【補正対象項目名】００６６
【補正方法】変更
【補正の内容】
【００６６】
又、特別図柄表示部４３は、大当たり遊技が終了しても、次の大当たりが発生するまで、前回の大当たりにおいて揃えた特別図柄をディスプレイ２１の画面上における任意の位置（例えば、画面左上）に表示するようにされている。
以上のように構成されたパチンコ機１では、図５に示すように、抽選の結果が「通常当たり」に該当する場合には、インターバルを長く設定した大当たり遊技を実行する。又、抽選の結果が「確変当たり」に該当する場合には、インターバルを短く設定し、且つ、ラウンド及びインターバルをそれぞれ１つ追加した大当たり遊技を実行する。又、抽選の結果が、「再抽選当たり」に該当する場合には、再抽選を行うインターバルのみをそれ以前のインターバルよりも長く設定して再抽選を演出する。そして、再抽選の結果が「通常当たり」の場合には、インターバルの長さを「通常当たり」に応じた長さに設定し、ラウンド及びインターバルを追加しないで残りの大当たり遊技を実行する。一方、「確変当たり」に該当する場合には、インターバルの長さを「確変当たり」に応じた長さに設定し、ラウンド及びインターバルをそれぞれ１つ追加して残りの大当たり遊技を実行する。
【手続補正書】
【提出日】平成18年3月27日(2006.3.27)
【手続補正１】
【補正対象書類名】明細書
【補正対象項目名】０００２
【補正方法】変更
【補正の内容】
【０００２】
【従来の技術】
従来の厨房家具では、一部について上から下まで引き出しとするものの、天板下方の収納スペースは前面扉を設けることにより広く使えるようにしていた。
しかし、厨房家具の奥行は６５ｃｍ程度あるので、収納スペースの奥は視認し難くしかも、低い姿勢でないと手が入り難いので、収納物の出し入れが面倒で、しかも奥の収納物が隠れがちとなるので使い勝手が悪かった。
そこで、最近では収納物の出し入れなどの取り扱いの便宜に配慮して、厨房家具の天板の下方の収納空間を、複数のキャビネットを並列させ或いは仕切板で分割して、夫々に複数段の引き出しとしている。
厨房家具の収納部には大型の調理器具や背の高い器具などを納めることになるので、下段或いは中段には深い引き出しを配置するようにしている。
【手続補正２】
【補正対象書類名】明細書
【補正対象項目名】０００３
【補正方法】変更
【補正の内容】
【０００３】
一般的には、深い引き出しの奥には使用頻度の低い調理器具を、中央には頻度のやや低い缶詰、瓶詰などの長期保管の可能な食品を収納し、前板の裏側の手前は少し引くだけですむので、使用頻度の高いものを置くようにするのが使い勝手が良好になるといえる。
【手続補正３】
【補正対象書類名】明細書
【補正対象項目名】０００９
【補正方法】変更
【補正の内容】
【０００９】
【発明の実施の形態】
以下、本発明の実施の形態を示した図１乃至図４に基づき、本発明の構成についてさらに詳細に説明する。
図１はこの発明に係る厨房家具の縦形収納ポケットの使用状態の要部斜視図であり、図２は縦形ポケットの斜視図、図３は分解斜視図、図４は縦形ポケットの側板の正面図ａ、背面図ｂ、要部断面図ｃである。
本発明に係る縦形収納ポケットを備えた厨房家具は、図５に示すような厨房家具の収納部の殆ど全てが引き出しとした構造の場合に好適であるが、この厨房家具に限定されず、比較的深い引き出しを備えた厨房家具であれば足りる。
また、図５のように蹴込の奥まで収納スペースとした最下段の引き出しとしたものに限定されず、従来一般的な台輪を備えた厨房家具であってもよい。
さらに、縦形ポケットを配置するのは、台輪内を引き出しとするものでは、その上部の深い引き出しに縦形収納ポケットを設けるようにする。
いずれにしても引き出し付ベースキャビネットを備えた厨房家具とは、単体ととして流し台、コンロ台及び流し台を天板に設けた複合調理家具、システムキッチンの構成部材として大型の長尺、或いはＬ形の天板を備えた複合調理家具の一構成要素としても良い。
【手続補正４】
【補正対象書類名】明細書
【補正対象項目名】００１０
【補正方法】変更
【補正の内容】
【００１０】
縦形ポケット１を備えた引き出し５０は、前板５１が平面状で高く、深いもので、側面には一対の側板５２、５２及び側板５２、５２上で前板５１と図示しない向板に渡し固定する一乃至複数のガードパイプ５３を備えるようにしたものである。また、両側のガードパイプ５３、５３には内部を前後に分けるための仕切パイプ５４を渡架してある。引き出し５０は手前側の底板よりの収納スペースは少なくとも３０ｃｍを越えることが望ましい。
【手続補正５】
【補正対象書類名】明細書
【補正対象項目名】００１１
【補正方法】変更
【補正の内容】
【００１１】
この仕切パイプ５４を引き出し５０の前板５１の背面に近接して取り付けるようにし、縦形ポケット１を仕切パイプ５４に脱着自在に掛け止めるようにしている。
図示しないが仕切パイプ５４をもう一本中央部分に渡すようにして、引き出し５０内を三分するようにすることが好ましい。
【手続補正６】
【補正対象書類名】明細書
【補正対象項目名】００１４
【補正方法】変更
【補正の内容】
【００１４】
図２の縦形ポケット１では、二対のガードパイプ５３、５３の下段のガードパイプ５３に掛止片２を掛ける構成としているが、縦形ポケット１を深くして上段のガードパイプ５３に掛けるようにしてもよい。
また、縦形ポケット１の左右方向の幅を短くして、ガードパイプ５３、仕切パイプ５４及び前板５１で画成される収納スペースが生まれるものとしてあるが、仕切パイプ５４と前板５１の間を全て満たす大きさとしてもよい。このように縦形ポケット１を引き出し５０内の収納部の幅員一杯とすれば、引き出し５０内の手前側が有効に使えることになる。
縦形ポケット１の両側が引き出し５０の側板５２に近接して沿うように構成されるのであれば、図示しないが側板５２に掛ける掛止片を縦形ポケット１の側板１５に設けるようにしてもよい。
【手続補正７】
【補正対象書類名】明細書
【補正対象項目名】００１５
【補正方法】変更
【補正の内容】
【００１５】
【発明の効果】
この発明は以上のような構成からなるものであり、請求項１に記載の発明では、厨房家具の深い引き出しの背面に脱着自在な縦形ポケットを設けるようにしたので、使用頻度が高かったり、長尺でしかも自立しない、しゃもじ、オタマ、菜箸などを収納して置くのに好適といえる。勿論これらに限らず、キッチンペーパーや包装用ラップを箱ごと立てて収納したりすることもできる。脱着自在としたので、ポケットを取り外して清掃することも容易となる。
【手続補正８】
【補正対象書類名】明細書
【補正対象項目名】００１６
【補正方法】変更
【補正の内容】
【００１６】
請求項２記載の発明では、引き出しの側面に、側板及びガードパイプを備えるようにし、両側のガードパイプに渡架する仕切パイプにポケットを掛け止めるようにしたもので、引き出しに被掛止部を形成するなど格別の細工を施すことなく縦形ポケットを付設することができる。
【手続補正書】
【提出日】平成18年2月21日(2006.2.21)
【手続補正１】
【補正対象書類名】明細書
【補正対象項目名】００１０
【補正方法】変更
【補正の内容】
【００１０】
本発明の方法で用いられる回転ドラム(2)は、内周面(21)に凹部(3)が設けられている。この凹部の径(d3)は柱状触媒類(1)の規定長(L0)と等しいか、これよりも僅かに小さい程度、具体的には柱状触媒類の規定長(L0)の０．８倍以上１倍以下程度である。０．８倍未満では、柱状触媒類(1)をすくい上げにくくなる傾向にある。１倍を超えると、受部(4)に規定長(L0)を超える長さ(L1)の柱状触媒類(1')が混入するおそれがある。凹部(3)の深さ(h3)は、柱状触媒類(1)の径(d1)の０．５倍以上１倍以下程度である。径(d1)を超える深さ(h3)であると、規定長(L0)を超える長さ(L1)の柱状触媒類(1')が混入するおそれがあり、０．５倍未満では、規定長(L0)と等しいか、これよりも僅かに小さい長さ(L1)の柱状触媒類(1')を集めることができなくなるおそれがある。回転ドラムの内周面(21)には通常、かかる凹部(3)が全面に亙って多数設けられている。
【手続補正２】
【補正対象書類名】明細書
【補正対象項目名】図２
【補正方法】変更
【補正の内容】
【図２】
2004290851.tif 000001
【手続補正書】
【提出日】平成18年1月13日(2006.1.13)
【手続補正１】
【補正対象書類名】特許請求の範囲
【補正対象項目名】請求項２
【補正方法】変更
【補正の内容】
【請求項２】
前記受信装置は、前記記録制御手段による記録停止時間が所定時間に達した場合に、警告を発生する警告手段を、
さらに備えたことを特徴とする請求項１に記載の受信装置。
【手続補正２】
【補正対象書類名】明細書
【補正対象項目名】０００９
【補正方法】変更
【補正の内容】
【０００９】
また、請求項２の発明にかかる受信装置は、上記発明において、前記記録制御手段による記録停止時間が所定時間に達した場合に、警告を発生する警告手段を、さらに備えたことを特徴とする。
【手続補正書】
【提出日】平成18年2月13日(2006.2.13)
【手続補正１】
【補正対象書類名】明細書
【補正対象項目名】００６２
【補正方法】変更
【補正の内容】
【００６２】  この実施形態の木酢液含有粉末入り添付袋によれば、透水性不織布１側の撥水性が粘着シート６の防水性を利用したものとなっていると共に、透明粘着シート６１と透明粘着剤６２とが共に透明であることによって、透水性不織布１に付着するベトベト液Ｂを外から見ることが出来ると言う特徴を有する。
【手続補正書】
【提出日】平成17年10月31日(2005.10.31)
【手続補正１】
【補正対象書類名】明細書
【補正対象項目名】００３５
【補正方法】変更
【補正の内容】
【００３５】
本発明の中芯材は良好な通気性と吸水性を併せ持っているので、編物や織物からなる布地等を備えることにより、寝具、座席シート、表皮材、緩衝材等の製品を構成することができる。寝具用としては、前述した布団やマットレスやベッドパット等の中芯材として、また枕等の寝具類や各種車輌用や家具用椅子等座席シート、あるいはチャイルドシートやベビーカー向けの表皮材用の中芯材として、あるいはヘルメットや帽子、靴の甲被材や、床材等の緩衝材用の中芯材として使用することができる。このとき、床材向け緩衝材においては、凸部高さと凹部高さの差を大きくし、凹部高さまで圧縮させないことで空間を多めに残すとよい。
【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
伸縮性コラーゲン成形体。
【請求項２】
コラーゲンが魚類から得られたものである請求項１に記載の伸縮性コラーゲン成形体。
【請求項３】
内径２３ｍｍ、厚さ1.2ｍｍの円形試料を楕円長軸長さが５０ｍｍになるように引っ張った後、内径２４ｍｍ以内に戻る請求項１または２に記載の伸縮性コラーゲン成形体。
【請求項４】
コラーゲンの線維化途上に線維同士を架橋剤で架橋することによりコラーゲンを線維化および架橋しゲルを得る工程、および得られたゲルを熱処理する工程を含むことを特徴とする伸縮性コラーゲン成形体の製造方法。
【請求項５】
コラーゲン溶液に対し、線維化を惹起させる溶媒を用いた架橋剤の溶液を混合することにより、コラーゲンの線維化途上に線維同士を架橋剤で架橋する請求項４に記載の伸縮性コラーゲン成形体の製造方法。
【請求項６】
コラーゲン溶液に対し、線維化を惹起させる溶媒と架橋剤溶液とを混合することにより、コラーゲンの線維化途上に線維同士を架橋剤で架橋する請求項４に記載の伸縮性コラーゲン成形体の製造方法。
【請求項７】
コラーゲン溶液に対し、架橋剤溶液を加え、その後線維化を惹起させる溶媒を混合することにより、コラーゲンの線維化途上に線維同士を架橋剤で架橋する請求項４に記載の伸縮性コラーゲン成形体の製造方法。
【請求項８】
熱処理の後に架橋処理を施す、請求項４乃至７のいずれか１項に記載の伸縮性コラーゲン成形体の製造方法。
【請求項９】
魚類から得られたコラーゲンを使用する請求項４乃至８のいずれか１項に記載の伸縮性コラーゲン成形体の製造方法。
【請求項１０】
コラーゲン溶液と線維化を惹起させる溶媒および架橋剤溶液との混合を、コラーゲンの変性温度＋５℃以下の温度で行う請求項５乃至７のいずれか１項に記載の伸縮性コラーゲン成形体の製造方法。
【請求項１１】
コラーゲン溶液と線維化を惹起させる溶媒および架橋剤溶液とを混合した後、コラーゲンの変性温度＋５℃以下の温度で少なくとも１時間インキュベートしてゲルを得る、請求項５乃至７および１０のいずれか１項に記載の伸縮性コラーゲン成形体の製造方法。
【請求項１２】
熱処理温度が３０〜２００℃の温度である請求項４乃至１１のいずれか１項に記載の伸縮性コラーゲン成形体の製造方法。
【請求項１３】
請求項４乃至１２のいずれか１項に記載の方法で製造された伸縮性コラーゲン成形体。
【請求項１４】
請求項１乃至３および請求項１３のいずれか１項に記載の伸縮性コラーゲン成形体からなる細胞担体または医療用材料。
【請求項１５】
請求項１乃至３および請求項１３のいずれか１項に記載の伸縮性コラーゲン成形体からなる人工血管用基材。
【請求項１６】
請求項１乃至３および請求項１３のいずれか１項に記載の伸縮性コラーゲン成形体からなる美容整形用皮下埋め込みコラーゲン。
【請求項１７】
請求項１乃至３および請求項１３のいずれか１項に記載の伸縮性コラーゲン成形体からなる人工腱用基材。
【請求項１８】
請求項１乃至３および請求項１３のいずれか１項に記載の伸縮性コラーゲン成形体からなる人工硬膜。
【手続補正書】
【提出日】平成18年5月30日(2006.5.30)
【手続補正１】
【補正対象書類名】特許請求の範囲
【補正対象項目名】請求項３
【補正方法】変更
【補正の内容】
【請求項３】
すすぎ行程のための回転給水は、少なくとも一回は、給水停止状態を設けたことを特徴とする洗濯機の給水方法
【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
投入された洗濯物の量を検知する布量検知手段と、
指示入力を受付ける操作部入力手段と、
前記操作部入力手段で受付けた前記指示入力を表示する表示手段と、
洗濯運転初期に前記布量検知手段において前記投入された洗濯物の量を検知した後に運転停止状態に移行し、前記運転停止状態に前記操作部入力手段で受付けた運転開始指示に応じて運転状態に移行するよう状態を制御する状態制御手段とを備える、全自動洗濯機。
【請求項２】
投入された洗濯物の量を検知する布量検知手段と、
指示入力を受付ける操作部入力手段と、
前記操作部入力手段で受付けた前記指示入力を表示する表示手段と、
運転停止状態に移行してから所定時間の経過を検知する検知手段と、
前記検知手段で検知された所定時間の経過と、前記操作部入力手段で受付けた運転開始指示とのうちから、前記運転停止状態から運転状態へ移行する運転開始条件を選択する選択手段と、
洗濯運転初期に前記布量検知手段において前記投入された洗濯物の量を検知した後に前記運転停止状態に移行し、前記選択手段において選択された前記運転開始条件が満たされたときに、前記運転停止状態から前記運転状態に移行するよう状態を制御する状態制御手段とを備える、全自動洗濯機。
【請求項３】
前記選択手段により選択された運転開始条件を記憶する、不揮発性の記憶手段をさらに備える、請求項２に記載の全自動洗濯機。
【請求項４】
前記表示手段は、前記運転停止状態時において洗剤量を表示し、
前記操作部入力手段は運転内容の変更の指示入力を受付け、
前記表示手段は、前記操作部入力手段により変更された運転内容に連動して、前記洗剤量表示の表示を変更する、請求項１〜３のいずれかに記載の全自動洗濯機。
【請求項５】
前記操作部入力手段で受付けた前記指示入力に基づいて、前記運転停止状態を取消し、次の指示入力があるまでの一時的な停止状態である運転一時停止状態に移行するよう状態を制御する取消手段をさらに備える、請求項１〜４のいずれかに記載の全自動洗濯機。
【請求項６】
前記操作部入力手段の所定キーの入力時間に応じて、前記取消手段における前記状態の制御と、前記状態制御手段における前記状態の制御とのいずれかが実行される、請求項５に記載の全自動洗濯機。
【請求項７】
前記運転停止状態においてドア開放を可能とし、
前記運転停止状態において前記ドア開放を検出するドア開放検知手段と、
前記ドア開放検知手段において前記ドア開放を検知した場合に、前記検知手段における前記時間経過の検知を停止し、前記操作部入力手段による前記運転開始指示を無効とするよう制御するドア開放時制御手段とをさらに備える、請求項２〜６のいずれかに記載の全自動洗濯機。
【請求項８】
前記状態制御手段は、運転終了時間を指定できる予約時間が設定された予約運転が開始された場合には、前記洗濯運転初期に前記布量検知手段において前記投入された洗濯物の量を検知した後に前記運転停止状態に移行し、前記運転停止状態時には前記操作部入力手段で受付けた前記運転開始指示を無効とし、前記検知手段で前記所定時間の時間経過が検知されたときに、前記運転停止状態から予約運転待機状態に移行するよう状態を制御する、請求項２〜７のいずれかに記載の全自動洗濯機。
【手続補正書】
【提出日】平成18年10月27日(2006.10.27)
【手続補正１】
【補正対象書類名】特許請求の範囲
【補正対象項目名】請求項３
【補正方法】変更
【補正の内容】
【請求項３】
前記基本処理実行手段が前記基本処理を実行するための制御プログラムを記憶する記憶手段を備え、
前記基本処理実行手段は、報知態様を制御する処理以外が同一の制御プログラムを前記記憶手段より読み出して前記第１のエラー処理及び前記第２のエラー処理を実行する、請求項１または２に記載のスロットマシン。
【手続補正２】
【補正対象書類名】特許請求の範囲
【補正対象項目名】請求項４
【補正方法】変更
【補正の内容】
【請求項４】
前記タイマ割込処理実行手段は、
前記タイマ割込処理の実行に応じて、該タイマ割込処理において実行すべき処理を識別するための分岐用カウンタ値を更新する分岐用カウンタ更新手段と、
前記タイマ割込処理において、複数種類の処理のうちから前記分岐用カウンタ値に対応する処理を、該タイマ割込処理にて実行する処理として選択する処理選択手段と、
を含む、請求項１〜３のいずれかに記載のスロットマシン。
【手続補正３】
【補正対象書類名】明細書
【補正対象項目名】００１０
【補正方法】変更
【補正の内容】
【００１０】
本発明の請求項３に記載のスロットマシンは、請求項１または２に記載のスロットマシンであって、
前記基本処理実行手段が前記基本処理を実行するための制御プログラムを記憶する記憶手段を備え、
前記基本処理実行手段は、報知態様を制御する処理以外が同一の制御プログラムを前記記憶手段より読み出して前記第１のエラー処理及び前記第２のエラー処理を実行する、ことを特徴としている。
この特徴によれば、第１のエラー処理と第２のエラー処理の制御プログラムを共有できるのでプログラム容量を軽減することができる。
【手続補正４】
【補正対象書類名】明細書
【補正対象項目名】００１１
【補正方法】変更
【補正の内容】
【００１１】
本発明の請求項４に記載のスロットマシンは、請求項１〜３のいずれかに記載のスロットマシンであって、
前記タイマ割込処理実行手段は、
前記タイマ割込処理の実行に応じて、該タイマ割込処理において実行すべき処理を識別するための分岐用カウンタ値を更新する分岐用カウンタ更新手段と、
前記タイマ割込処理において、複数種類の処理のうちから前記分岐用カウンタ値に対応する処理を、該タイマ割込処理にて実行する処理として選択する処理選択手段と、
を含む、ことを特徴としている。
この特徴によれば、複数の処理をその処理の内容に合わせた間隔で実行することで、１回のタイマ割込処理に多数の処理が集中することを回避できるため、無駄な処理が行われることがなく、処理負荷を軽減することができる。
【手続補正５】
【補正対象書類名】明細書
【補正対象項目名】０１１２
【補正方法】変更
【補正の内容】
【０１１２】
本発明の請求項３は、前記基本処理実行手段（メイン制御部４１）が前記基本処理（ゲーム制御処理）を実行するための制御プログラムを記憶する記憶手段（ＲＯＭ４１ｂ）を備え、
前記基本処理実行手段（メイン制御部４１）は、報知態様（エラーコードの表示）を制御する処理以外が同一の制御プログラムを前記記憶手段（ＲＯＭ４１ｂ）より読み出して前記第１のエラー処理及び前記第２のエラー処理を実行する。
【手続補正６】
【補正対象書類名】明細書
【補正対象項目名】０１１３
【補正方法】変更
【補正の内容】
【０１１３】
本発明の請求項４は、前記タイマ割込処理実行手段は、
前記タイマ割込処理の実行に応じて、該タイマ割込処理において実行すべき処理（タイマ割込１〜４）を識別するための分岐用カウンタ値を更新する分岐用カウンタ更新手段と、
前記タイマ割込処理において、複数種類の処理（タイマ割込１〜４）のうちから前記分岐用カウンタ値に対応する処理を、該タイマ割込処理にて実行する処理として選択する処理選択手段と、
を含む。
【手続補正書】
【提出日】平成18年2月20日(2006.2.20)
【手続補正１】
【補正対象書類名】明細書
【補正対象項目名】００２７
【補正方法】変更
【補正の内容】
【００２７】
実施例２：野菜系エキスに対するＬ−グルタミン酸アンモニウムの効果
コンブエキス、シイタケエキス、キャベツエキス、および大根エキス(表１)に対する０．０１％および０．０５％Ｌ−グルタミン酸アンモニウム添加効果を調べた。結果を表４に示す。評価方法としては、上記の野菜系エキスそれぞれの１％水溶液をブランクとし、それぞれの１％水溶液にＬ−グルタミン酸アンモニウムを０．０１％および０．０５％添加したサンプルを作製した。よく訓練されたパネラー１４名により、サンプルの甘味、旨み、塩味、苦味、酸味、濃厚感・コクの増強がブランクと比較してみられるか否かについての官能評価を行った。表内の人数は評価人数１４名中ブランクと比較してそれぞれ増強されていると感じた人数を示す。また、カッコ内の％は１４名を１００％として考えたときの割合を示す。
【手続補正書】
【提出日】平成18年1月6日(2006.1.6)
【手続補正１】
【補正対象書類名】明細書
【補正対象項目名】０００９
【補正方法】変更
【補正の内容】
【０００９】
パラチノース（palatinose）とは、別名イソマルツロース（isomaltulose）ともいい、グルコースがフラクトースにα−１，６−グルコシル結合することにより構成された二糖である。パラチノース一水和物結晶の特性は、次に示す通りである。融点は１２３〜１２４℃、比旋光度は［α］20D＋９７．２、フェーリング溶液還元力はグルコースの５２％、溶解度（無水物換算）は、２０℃で２９％、８０℃で６７％である。水溶液の甘味の質は良好で、甘味度は比較に用いる溶液の甘味度にもよるがショ糖の約４２％である。
【手続補正２】
【補正対象書類名】明細書
【補正対象項目名】００１０
【補正方法】変更
【補正の内容】
【００１０】
パラチノースは、天然において蜂蜜、甘蔗汁中などに見出される。また、ショ糖が、細菌や酵母に由来するα−グルコシルトランスフェラーゼに作用した場合に生じる転移生成物中にも存在する。工業的には、パラチノースは、ショ糖にプロタミノバクター・ルブラム（Protaminobacter rubrum）又はセラチア・プリムチカ（Serratia plymuthica）等の細菌が生み出すα−グルコシルトランスフェラーゼを作用させることにより、ショ糖の大部分がパラチノースに変換される。
【手続補正３】
【補正対象書類名】明細書
【補正対象項目名】００１３
【補正方法】変更
【補正の内容】
【００１３】
乳酸菌は、特に限定されないが、例えばラクトバチルス・カゼイ(Lactobacillus casei)、ラクトバチルス・パラカゼイ(Lactobacillus paracasei)、ラクトバチルス・プランタラム(Lactobacillus platarum)、ラクトバチルス・アシドフィルス(Lactobacillus acidophilus)、ラクトバチルス・デルブルッキー  サブスピーシーズ  ブルガリカス(Lactobacillus delbrueckii subsp. bulgaricus)等のラクトバチルス(Lactobacillus)属細菌、ストレプトコッカス・サーモフィルス(Streptococcus thermophilus)等のストレプトコッカス(Streptococcus)属細菌、ラクトコッカス・ラクチス(Lactococcus lactis)等のラクトコッカス(Lactococcus)属細菌、ロイコノストック・ラクチス(Leuconostoc lactis)等のロイコノストック(Leiconostoc)属細菌、エンテロコッカス・フェカーリス(Enterococcus faecalis)等のエンテロコッカス(Enterococcus)属細菌等が挙げられる。乳酸菌は、これらから選ばれる少なくとも一つ以上を任意に使用することが出来る。
【手続補正４】
【補正対象書類名】明細書
【補正対象項目名】００１８
【補正方法】変更
【補正の内容】
【００１８】
本発明の発酵豆乳において、パラチノース単独で、或いはパラチノースとともに、その他の甘味料、例えばショ糖、異性化糖、グルコース、フラクトース、トレハロース、ラクトース、キシロース等の糖類；ソルビトール、キシリトール、エリスリトール、ラクチトール、還元パラチノース（登録商標：パラチニット）、還元水飴、還元麦芽糖水飴等の糖アルコール；アスパルテーム、スクラロース、アセスルファムカリウム、アリテーム、ステビア、グリチルリチン等の高甘味度甘味料を併用して用いてもよい。好ましくは、パラチノースとともにショ糖を併用する。この場合、添加する甘味料のうちのパラチノースの割合は特に限定されないが、添加する甘味料の全甘味度に対して、１０％以上１００％未満、好ましくは２０％以上１００％未満の量のパラチノースを任意に用いることが出来る。
【手続補正書】
【提出日】平成17年12月13日(2005.12.13)
【手続補正１】
【補正対象書類名】明細書
【補正対象項目名】００１７
【補正方法】変更
【補正の内容】
【００１７】
プライマーペアは、両領域間の塩基配列を増幅できるように、すなわち、一方がセンスプライマーとなり他方がアンチセンスプライマーとなるように設定される。潜在プラスミドは環状であるため、両領域間の塩基配列は２つあるが、通常には短い方の塩基配列が増幅されるように設定される。
【手続補正２】
【補正対象書類名】明細書
【補正対象項目名】００３７
【補正方法】変更
【補正の内容】
【００３７】
本発明キットは、プライマーペアの他に、ＰＣＲおよび／または増幅産物の検出を行うのに必要とされる試薬類をさらに含んでいてもよい。このような試薬類の例には、上記のハイブリダイゼーションプローブも含まれる。
【手続補正３】
【補正対象書類名】明細書
【補正対象項目名】００３９
【補正方法】変更
【補正の内容】
【００３９】
【実施例１】ＰＣＲによる検出
クラミジア・トラコマティス（ＧｅｎＢａｎｋアクセッション番号Ｘ０６７０７）の潜在プラスミドの塩基配列（配列番号１）の第１の領域（塩基番号５１５７〜５２０１）および第２の領域（塩基番号５２４５〜５２７６）において、ＧＣ含量に富み（４８−５５％）、高いＴｍ値を有する（６３−６５℃（最近接塩基対法により算出））塩基配列を選択した。すなわち、３種類の上流プライマー（配列番号：２、３、４）および２種類の下流プライマー（配列番号：５、６）の標的結合配列を選択した。そしてこれらの標的結合配列を有するオリゴヌクレオチドをプライマーとして合成した。
【手続補正４】
【補正対象書類名】明細書
【補正対象項目名】００４５
【補正方法】変更
【補正の内容】
【００４５】
配列番号：３−５のプライマーペアについては、アニーリング温度６８℃でクラミジア・トラコマティス菌体ゲノムＤＮＡ２コピーを検出可能であった。配列番号：４−６のプライマーペアについては、アニーリング温度６５℃でクラミジア・トラコマティス菌体ゲノムＤＮＡ２コピーを検出可能であった。
【手続補正書】
【提出日】平成18年1月26日(2006.1.26)
【手続補正１】
【補正対象書類名】明細書
【補正対象項目名】特許請求の範囲
【補正方法】変更
【補正の内容】
【特許請求の範囲】
【請求項１】植物を栽培可能な植栽部が貯水部上に設けられ、敷設面に敷設して緑化エリアを形成可能な緑化体において、該植栽部へ負荷される外力を直接受ける箇所から該貯水部の底面若しくは該敷設面まで、平面視同一位置で略一連で設けられる柱状部材を有し、該外力を該柱状部材を介して該敷設面で受けることを特徴とする緑化体。
【請求項２】植物を栽培可能な略箱形の植栽部が略箱形の貯水部上に設けられ、敷設面に敷設して緑化エリアを形成可能な緑化体において、該植栽部へ負荷される外力を直接受ける箇所から該貯水部の底面若しくは該敷設面まで、平面視同一位置で略一連で設けられる柱状部材を有し、該外力を該柱状部材を介して該敷設面で受けることを特徴とする緑化体。
【請求項３】前記平面視同一位置で略一連の柱状部材を、前記植栽部の底面から上方へ設けられる第１柱状部材と、該植栽部の底面から下方へ設けられる第２柱状部材により構成することを特徴とする請求項１又は２記載の緑化体。
【請求項４】前記貯水部の底面近傍と前記第２柱状部材の下端近傍を係止する係止構造を設けることを特徴とする請求項３記載の緑化体。
【請求項５】前記平面視同一位置で略一連の柱状部材を、前記貯水部の底面から前記外力を直接受ける箇所まで上方へ立設して構成することを特徴とする請求項１又は２記載の緑化体。
【請求項６】前記平面視同一位置で略一連の柱状部材を、前記植栽部の底面から上方へ立設する第１柱状部材と、前記貯水部の底面から上方へ立設する第２柱状部材により構成することを特徴とする請求項１又は２記載の緑化体。
【請求項７】前記植栽部の底面近傍と前記第２柱状部材の上端近傍を係止する係止構造を設けることを特徴とする請求項６記載の緑化体。
【請求項８】前記略一連の柱状部材若しくは前記第１柱状部材若しくは前記第２柱状部材が中空部を有しないことを特徴とする請求項１、２、３、４、５、６又は７記載の緑化体。
【手続補正２】
【補正対象書類名】明細書
【補正対象項目名】００１３
【補正方法】変更
【補正の内容】
【００１３】
【課題を解決するための手段】
本発明の緑化体は、植物を栽培可能な略箱形等の植栽部が略箱形等の貯水部上に設けられ、敷設面に敷設して緑化エリアを形成可能な緑化体において、該植栽部へ負荷される外力を直接受ける箇所から該貯水部の底面若しくは該敷設面まで、平面視同一位置で略一連で設けられる柱状部材を有し、該外力を該柱状部材を介して該敷設面で受けることを特徴とする。例えば貯水可能な空間を有する貯水部と、貯水部上に載置され、植物を栽培可能な植栽部とを有する緑化体に、植栽部の上面近傍から敷設面等まで略一連となる柱状部材を設け、或いは植栽部の上面近傍から敷設面等まで略垂設される柱状部材を設け、植栽部への外力を該柱状部材を介して敷設面で支持する。尚、本発明には、植栽部と貯水部が別体で着脱可能なものの他、植栽部と貯水部が一体的に設けられるものも含まれる。
【手続補正書】
【提出日】平成18年2月10日(2006.2.10)
【手続補正１】
【補正対象書類名】明細書
【補正対象項目名】特許請求の範囲
【補正方法】変更
【補正の内容】
【特許請求の範囲】
【請求項１】  遊技機に対応づけて設けられる装置であって、
遊技機から出力される情報を入力するためのインタフェース手段と、
そのインタフェース手段を介して入力された入力情報に基づいて、遊技者に提供するための出力情報を個々に識別可能な態様で出力する情報出力手段と、
を備えたことを特徴とする遊技機用外部装置。
【請求項２】  前記入力情報に基づいて、遊技者に提供するための前記出力情報を作成する情報作成手段、
を備え、
前記情報出力手段は、前記情報作成手段によって作成された前記出力情報を出力することを特徴とする請求項１に記載の遊技機用外部装置。
【請求項３】  遊技者に提供するための情報が前記遊技機から出力され且つ前記インタフェース手段を介して入力され、
前記情報出力手段は、そのインタフェース手段を介して入力された遊技者に提供するための情報を出力することを特徴とする請求項１に記載の遊技機用外部装置。
【請求項４】  前記出力情報は、所定の規則に従って付与される固有情報を含んでいることを特徴とする請求項１乃至３のいずれかに記載の遊技機用外部装置。
【請求項５】  外部から遊技者特定情報を入力するための遊技者特定情報入力手段を備え、
前記出力情報は、前記遊技者特定情報を含んでいることを特徴とする請求項１乃至４のいずれかに記載の遊技機用外部装置。
【請求項６】  前記遊技者特定情報入力手段は、カード型記憶媒体から情報を読み取るためのカード読み取り装置によって構成されたことを特徴とする請求項５に記載の遊技機用外部装置。
【請求項７】  前記出力情報は、遊技機を識別するための遊技機識別情報を含んでいることを特徴とする請求項１乃至６のいずれかに記載の遊技機用外部装置。
【手続補正書】
【提出日】平成18年2月3日(2006.2.3)
【手続補正１】
【補正対象書類名】明細書
【補正対象項目名】特許請求の範囲
【補正方法】変更
【補正の内容】
【特許請求の範囲】
【請求項１】
体内で検査・治療等の医療行為を行うカプセル型医療装置において、
体外に排泄されたことを検知する検知手段と、
前記検知手段に連動し体外に排泄されたことを外部に報知する報知手段と、
を設けたことを特徴とするカプセル型医療装置。
【請求項２】
体内で検査・治療等の医療行為を行うカプセル型医療装置において、
医療行為を行うための検査・治療機能と、
体外に排泄されたことを報知する報知手段と、
を設け、
医療行為を行うために、少なくとも前記検査・治療機能を稼動させる稼動モードと、
医療行為完了後に検査・治療機能を停止した状態で、前記検知手段を動作させる待機モードと、
を有することを特徴とするカプセル型医療装置。
【請求項３】
前記カプセル型医療装置が、体外と通信を行う通信回路を備え、
前記通信回路で受信する体外からのモード切替信号に応じて、前記稼動モードから前記待機モードにモードを切り替えることを特徴とする請求項２に記載のカプセル型医療装置。
【請求項４】
前記カプセル型医療装置が、医療行為が完了したことを判断する判断手段を備え、
前記判断手段が医療行為を完了したと判断したときに、前記稼動モードから前記待機モードにモードを切り替えることを特徴とする請求項２に記載のカプセル型医療装置。
【請求項５】
前記カプセル型医療装置が、タイマを備え、
前記稼動モードと前記待機モードとの間で、前記タイマによって計測される設定時間の間、前記検査・治療機能と前記検知手段を停止することを特徴とする請求項２〜４のいずれか一つに記載のカプセル型医療装置。
【請求項６】
前記判断手段が、
前記カプセル型医療装置に設けられたタイマあるいはｐＨセンサの少なくともいずれかであることを特徴とする請求項4に記載のカプセル型医療装置。
【請求項７】
前記検知手段に連動して体外に排泄されたことを外部に報知する報知手段をさらに設けたことを特徴とする請求項２〜６のいずれか一つに記載のカプセル型医療装置。
【請求項８】
前記検知手段が、
前記カプセル型医療装置に設けられた温度センサ、光センサ、圧力センサ、ｐＨセンサの少なくともいずれかと、
前記いずれかのセンサからの出力に基づいて、カプセル型医療装置が体外に排泄されたことを判定する処理回路と、
を備えたことを特徴とする請求項１〜７のいずれか一つに記載のカプセル型医療装置。
【請求項９】
前記報知手段が、
前記カプセル型医療装置に設けられた音を発生する音発生装置、振動を発生する振動装置、光を発生する発光手段の少なくともいずれかであることを特徴とする請求項１、７、８のいずれか一つに記載のカプセル型医療装置。
【請求項１０】
前記稼動モードが、体内を観察する観察モードであることを特徴とする請求項２〜７のいずれか一つに記載のカプセル型医療装置 。
【手続補正２】
【補正対象書類名】明細書
【補正対象項目名】０００８
【補正方法】変更
【補正の内容】
【０００８】
【課題を解決するための手段】
請求項１に記載のカプセル型医療装置は、体内で検査・治療等の医療行為を行うカプセル型医療装置において、
体外に排泄されたことを検知する検知手段と、
前記検知手段に連動し体外に排泄されたことを外部に報知する報知手段と、
を設けたことにより、体外にカプセル型医療装置が排泄されると検知手段による検知に連動して報知手段が報知するので、体外に排泄されるカプセル型医療装置を紛失することなく回収できるようにしている。
請求項２に記載のカプセル型医療装置は、体内で検査・治療等の医療行為を行うカプセル型医療装置において、
医療行為を行うための検査・治療機能と、
体外に排泄されたことを報知する報知手段と、
を設け、
医療行為を行うために、少なくとも前記検査・治療機能を稼動させる稼動モードと、
医療行為完了後に検査・治療機能を停止した状態で、前記検知手段を動作させる待機モードと、を有している。